(57)【要約】【課題】本発明は、個人用聴取装置に関し、詳しくは、線の露出が最小限に抑えられ、ユーザの顔や両腕にかかる線がなく、聴取装置の使用利便性とユーザの活動性を向上させ、音声信号を伝えるスピーカがユーザの聴覚器官から離間して位置可変に支持されることにより、ユーザの聴覚器官が開放された状態で音源を聴取できる個人用聴取装置に関する。【解決手段】本発明による個人用聴取装置は、ユーザの頭部に位置する第１ユニットと、前記第１ユニットに支持され、スピーカをユーザの聴覚器官から離間するように配置する第２ユニットとを含み、このような構成による個人用聴取装置によれば、ユーザの顔や両腕にかかる線がなくなり、ユーザの動きが自由になるという効果があり、これによりユーザの活動性が保証されるので、趣味や野外活動を楽しむためにユーザが聴取装置を用いる際の利便性を向上させる効果を期待することができ、安全性が大きく向上し、ユーザの活動性を保証できる効果を期待することができる。【選択図】図３
2012508500.tif 000002
【特許請求の範囲】
【請求項１】
ユーザの頭部に位置する第１ユニットと、
前記第１ユニットに支持され、スピーカをユーザの聴覚器官から離間するように配置する第２ユニットとを含む個人用聴取装置。
【請求項２】
前記第１ユニットがユーザの頭部外面に沿って位置する請求項１に記載の個人用聴取装置。
【請求項３】
前記第２ユニットが前記第１ユニットに対して位置可変に支持される請求項１に記載の個人用聴取装置。
【請求項４】
前記第１ユニットと前記第２ユニットが一体に形成される請求項１に記載の個人用聴取装置。
【請求項５】
前記第２ユニットが、
前記第１ユニットに連結される連結部と、
前記連結部に位置可変に連結され、前記スピーカの位置を調節できるように形成される結合部とを含む請求項１に記載の個人用聴取装置。
【請求項６】
前記連結部が前記第１ユニットに位置可変に連結される請求項５に記載の個人用聴取装置。
【請求項７】
前記第２ユニットが、
前記第１ユニットに対して回転運動可能に連結される連結部と、
前記連結部と並進運動可能に連結され、前記スピーカの位置を調節できるように形成される結合部とを含む請求項１に記載の個人用聴取装置。
【請求項８】
前記第２ユニットが、
前記第１ユニットに連結され、自体柔軟性により前記スピーカの位置を調節できるように形成される請求項１に記載の個人用聴取装置。
【請求項９】
前記第２ユニットが前記第１ユニットに位置可変に連結される請求項８に記載の個人用聴取装置。
【請求項１０】
前記第２ユニットが、
前記第１ユニットに連結される連結部と、
前記連結部により案内され、前記スピーカの位置を調節できるように形成される結合部とを含む請求項１に記載の個人用聴取装置。
【請求項１１】
前記第２ユニットが前記第１ユニットに位置可変に連結される請求項１０に記載の個人用聴取装置。
【請求項１２】
前記第２ユニットが、
前記第１ユニットに連結される連結部と、
前記連結部に着脱可能に連結され、前記スピーカの位置を調節できるように形成される結合部とを含む請求項１に記載の個人用聴取装置。
【請求項１３】
前記連結部が前記第１ユニットに位置可変に連結される請求項１２に記載の個人用聴取装置。
【請求項１４】
前記第１ユニット又は前記第２ユニットには、付加機能のための応用機器が支持される応用機器支持部がさらに備えられる請求項１〜１３のいずれかに記載の個人用聴取装置。
【請求項１５】
前記第１ユニット又は前記第２ユニットには、前記応用機器に接続される応用機器接続線がさらに備えられる請求項１４に記載の個人用聴取装置。
【請求項１６】
前記第１ユニットには、音源を提供する音響機器に接続される接続ジャックと、前記スピーカに音源を伝える接続線が備えられる請求項１に記載の個人用聴取装置。
【請求項１７】
前記接続ジャックが、前記第１ユニットに固定され、前記音響機器に選択的に接続され、前記音響機器を支持して音源を伝える請求項１６に記載の個人用聴取装置。
【請求項１８】
ユーザの頭部に位置する第１部分と、
前記第１部分からユーザの聴覚器官に向かって延び、前記第１部分に位置可変に支持され、ユーザの聴覚器官が外部音に対して開放される形態でスピーカが提供される第２部分と、
前記第１部分が支持され、ユーザが頭部に着用する第３部分とを含む個人用聴取装置。
【請求項１９】
前記第１部分と前記第２部分には、音源を提供する音響機器と前記スピーカを接続する接続線が設置される請求項１８に記載の個人用聴取装置。
【請求項２０】
前記第３部分には、ユーザの頭部に支持される着用部が備えられる請求項１８に記載の個人用聴取装置。
【請求項２１】
前記第３部分には、前記着用部に連結され、太陽光線を遮断する遮断部がさらに備えられる請求項２０に記載の個人用聴取装置。
【請求項２２】
前記第３部分はユーザが頭部に着用するヘアーバンドである請求項２０に記載の個人用聴取装置。
【請求項２３】
前記第３部分には、少なくとも前記第１部分が支持される支持部が提供される請求項１８に記載の個人用聴取装置。
【請求項２４】
前記支持部が前記第２部分の外面又は内面に位置する請求項２３に記載の個人用聴取装置。
【請求項２５】
前記第３部分には、前記第２部分の少なくとも一部が貫通し、前記スピーカがユーザの聴覚器官に向かって露出するように貫通孔が形成される請求項１８に記載の個人用聴取装置。
【請求項２６】
前記第３部分には、前記音響機器に接続される前記接続線が固定される接続線固定部がさらに備えられる請求項１９に記載の個人用聴取装置。
【請求項２７】
前記第３部分には前記第１部分の少なくとも一部が外部空間に露出するように案内する露出孔が形成され、前記露出孔を前記第１部分が貫通して前記第３部分に備えられる支持部に支持される請求項１８に記載の個人用聴取装置。
【請求項２８】
前記第３部分には、音源を提供する音響機器が着脱可能に支持される音響機器支持部がさらに備えられる請求項１８に記載の個人用聴取装置。
【請求項２９】
少なくとも前記第３部分には、前記第１部分の少なくとも一部を固定又は分離可能に支持する支持部がさらに備えられる請求項１８に記載の個人用聴取装置。
【請求項３０】
前記支持部が面ファスナー部材又はボタン部材である請求項２９に記載の個人用聴取装置。
【請求項３１】
前記支持部は内部空間の開閉が可能な請求項２９に記載の個人用聴取装置。
【請求項３２】
自体弾性を有する第１部材と、
前記第１部材からユーザの聴覚器官に向かって延びる第２部材と、
前記第１部材に少なくとも一部が支持され、ユーザの頭部に位置する第３部材と、
前記第２部材に支持され、スピーカの音が出力される部分が前記聴覚器官に向かい、その部分と前記聴覚器官間に空間が形成されるように前記スピーカを配置する第４部材と、
前記第１部材と前記第４部材に一部が支持され、提供される音源を前記スピーカに伝える接続線とを含む個人用聴取装置。
【請求項３３】
前記第１部材が、前記第２部材に連結される部分から長手方向にさらに延びる延長部を含む請求項３２に記載の個人用聴取装置。
【請求項３４】
前記第１部材と前記延長部が一体に形成される請求項３３に記載の個人用聴取装置。
【請求項３５】
前記延長部が前記第１部材の一端部に固定され、他端部が前記第１部材の他端部に選択的に連結される請求項３３に記載の個人用聴取装置。
【請求項３６】
前記第２部材が前記第１部材に対して位置可変に連結される請求項３２に記載の個人用聴取装置。
【請求項３７】
前記第４部材が前記第２部材に対して位置可変に連結される請求項３２に記載の個人用聴取装置。
【請求項３８】
前記第３部材には、少なくとも前記第４部材が前記第３部材の外部空間に位置するように通路を提供する貫通孔が形成される請求項３２に記載の個人用聴取装置。
【発明の詳細な説明】
【技術分野】
【０００１】
本発明は、個人用聴取装置に関し、詳しくは、外部空間への線の露出が最小限に抑えられ、ユーザの聴覚器官が開放された状態で音源を聴取できる個人用聴取装置に関する。
【背景技術】
【０００２】
聴取装置とは、ラジオ、ＭＰ３、ブルートゥース機器などの音源を発生させる音響機器の音源をユーザが聞けるようにする装置である。この聴取装置は、イヤホン、ヘッドセットなどと呼ばれ、ユーザの聴覚器官である耳に挿入されたり、ユーザの聴覚器官を遮蔽する形態で提供され、外部空間で発生する音による外部情報を遮断して音響機器から伝えられる音源をユーザに適切に伝えられるように構成される。
【０００３】
このように、外部空間から発生する音による外部情報を遮断して音響機器から伝えられる音源を聴取することにより、ユーザが野外又は室内活動をする際に、ユーザの外部から発生する音を感知することができず、突発的に発生する事故の危険性が高くなる。
【０００４】
また、ユーザの聴覚器官を遮蔽して希望の音源を聴取することにより、他人との意思疎通が難しくなり、このような意思疎通の断絶によってユーザの社会性が弱くなると共に個人主義的指向が強くなり、対話能力が低下する。
【０００５】
また、ユーザの聴覚器官を遮蔽する形態で提供される一般の聴取装置は、音響機器から生成される音源をユーザに伝えるための接続線が長く形成される。よって、音響機器に接続される接続線が外部空間に長く露出してユーザの耳から、音響機器が保管されるユーザの衣類やカバンなどにつながり、露出する接続線によりユーザの手や身体の動きが不自由になる。
【０００６】
このように、ユーザの動きが不自由になると、突発的に発生する状況に対してユーザが俊敏に対応できなくなり、事故の危険性がより大きくなる。
【０００７】
それだけでなく、長く露出している接続線は絡みやすいので、使用する際に絡んだ接続線を解かなければならなかったり、絡んだまま使用しなければならず、接続線を解く際に接続線の接点部に接続不良などの故障が頻繁に発生する。
【０００８】
しかも、ユーザの聴覚器官を遮蔽する一般の聴取装置は、閉鎖された空間で聴覚器官に直接音を伝えるので、長時間使用すると、ユーザの耳に刺激や不快感を与え、ユーザの聴力に損傷を与えるという問題が発生する。このような問題により、ユーザは常に健康上の負担を抱えて聴取装置を用いなければならないという問題も発生する。
【０００９】
すなわち、ユーザの聴覚器官に挿入されて聴覚器官に直接音を伝えるように構成されるので、外耳道炎や鼓膜損傷、内耳の前庭器官に負担をかける耳の病気や聴力障害、長時間の聴取による目眩などを誘発する。
【００１０】
一方、最近はオゾン層の破壊などに伴う強力な紫外線による顔の肌の老化、日焼けなどを防止し、目を保護するために、直射日光と紫外線の遮断という健康上の理由で、登山や釣りなどの趣味での外出の際に紫外線を遮断する帽子などのアクセサリーを着用することが多く、このようなアクセサリーとユーザの希望する音源を聴取するための音響機器及び聴取装置を別々に備えなければならないという不自由がある。
【００１１】
また、音源を聴取するための音響機器と聴取装置を接続する接続線のほとんどが外部に露出しているので、人体に着用する各種アクセサリーと調和をなせないという問題が発生したり、各種アクセサリーにより聴取装置の使用に困難が生じる。
【００１２】
また、聴取装置の様々な活用や様々な場所での使用に困難があり、用途や場所に応じた聴取装置を別途に備えるために、聴取装置や帽子などのアクセサリーを追加購入しなければならないという経済的負担を抱えることになる。
【発明の概要】
【発明が解決しようとする課題】
【００１３】
本発明は、外部空間に露出する線が最小限に抑えられるように構成される個人用聴取装置を提供することを目的とする。
【００１４】
また、本発明は、ユーザの聴覚器官が開放された状態で音源を聴取できる個人用聴取装置を提供することを目的とする。
【課題を解決するための手段】
【００１５】
本発明による個人用聴取装置は、ユーザの頭部に位置する第１ユニットと、前記第１ユニットに支持され、スピーカをユーザの聴覚器官から離間するように配置する第２ユニットとを含む。
【００１６】
また、本発明による個人用聴取装置は、ユーザの頭部に位置する第１部分と、前記第１部分からユーザの聴覚器官に向かって延び、位置可変に支持され、ユーザの聴覚器官が外部音に対して開放される形態で音源を伝えるスピーカが提供される第２部分と、少なくとも前記第１部分が支持され、ユーザが頭部に着用する第３部分とを含む。
【００１７】
また、本発明による個人用聴取装置は、自体弾性を有する第１部材と、前記第１部材からユーザの聴覚器官に向かって延びる第２部材と、少なくとも前記第１部材が支持され、ユーザが頭部に着用する第３部材と、前記第２部材に支持され、スピーカの音が出力される部分が前記聴覚器官に向かい、前記聴覚器官との間に空間が形成されるように配置する第４部材と、前記第１部材と前記第４部材に一部が支持され、提供される音源を前記スピーカに伝える接続線とを含む。
【発明の効果】
【００１８】
このような本発明による個人用聴取装置によれば、スピーカに音源を伝える線の長さが最小限に抑えられる効果を有し、外部空間に露出する線が最小限に抑えられる効果を有する。
【００１９】
このように、音源を提供する音響機器に接続される線や外部空間に露出する線の長さが最小限に抑えられることにより、ユーザの顔や両腕にかかる線がなくなり、ユーザの動きが自由になるという効果があり、これによってユーザの活動性が保証されるので、ユーザが趣味や野外活動をしながら聴取装置を用いる際に使用の利便性を向上させるという効果がある。
【００２０】
また、趣味や野外活動を楽しみながら聴取装置を便利に使用したいというユーザの要求に応えられるという利点を有し、ユーザの身体の動きが自由になることにより、突然の外部環境の変化に対処できるという効果がある。よって、突発的な事故に対処できるので事故予防効果が期待でき、本発明による聴取装置の使用により安全性が大幅に向上するという効果が期待できる。
【００２１】
また、スピーカに音源を伝える接続線の長さが最小限に抑えられ、接続線による電気的抵抗を減少させる効果があり、電気的抵抗の減少はよりよい音質の音源を前記スピーカに伝えることができ、電気消費を少なくして音響機器の使用時間を増加させるという利点がある。
【００２２】
さらに、本発明による個人用聴取装置はユーザが置かれた状況や場所に応じて使用できるので、聴取装置を用いるユーザの利便性を最大化するという効果がある。
【００２３】
一方、本発明による個人用聴取装置によれば、ユーザの聴覚器官が開放された状態で音源を聴取できるように構成されるので、ユーザの聴覚器官に直接的な刺激を与えず、ユーザの聴力損傷を防止する効果があり、これによりユーザは健康上の負担を抱えることなく希望の音源を聴取できるという利点もある。
【図面の簡単な説明】
【００２４】
【図１】本発明の実施例１による個人用聴取装置を示す斜視図である。
【図２】本発明の実施例１による個人用聴取装置の他の形態を示す斜視図である。
【図３】本発明の実施例１による個人用聴取装置のさらに他の形態を示す斜視図である。
【図４】本発明の実施例１による個人用聴取装置の構成を示す分解斜視図である。
【図５】本発明の実施例１による個人用聴取装置のさらに他の形態を示す斜視図である。
【図６】本発明の実施例１による個人用聴取装置のさらに他の形態を示す斜視図である。
【図７】本発明の実施例１による個人用聴取装置のさらに他の形態を示す斜視図である。
【図８】本発明の実施例１による個人用聴取装置のさらに他の形態を示す斜視図である。
【図９】本発明の実施例１による個人用聴取装置のさらに他の形態を示す斜視図である。
【図１０】本発明の実施例２による個人用聴取装置を示す斜視図である。
【図１１】本発明の実施例２による個人用聴取装置を示す底面図である。
【図１２】本発明の実施例２による個人用聴取装置の音響機器を除去した状態を示す斜視図である。
【図１３】図１１のＩ−Ｉ’線断面図である。
【図１４】本発明の実施例２による個人用聴取装置のさらに他の形態を示す斜視図である。
【図１５】本発明の実施例２による個人用聴取装置のさらに他の形態を示す斜視図である。
【図１６】本発明の実施例２による個人用聴取装置のさらに他の形態を示す斜視図である。
【図１７】本発明の実施例２による個人用聴取装置のさらに他の形態を示す斜視図である。
【図１８】本発明の実施例２による個人用聴取装置のさらに他の形態を示す斜視図である。
【図１９】本発明の実施例２による個人用聴取装置のさらに他の形態を示す斜視図である。
【図２０】本発明の実施例２による個人用聴取装置のさらに他の形態を示す斜視図である。
【図２１】本発明の実施例２による個人用聴取装置のさらに他の形態を示す斜視図である。
【発明を実施するための形態】
【００２５】
以下、添付図面を参照して、前述のように構成される本発明による個人用聴取装置の実施例について説明する。
【００２６】
ただし、説明の便宜上実施例を用いて本発明による個人用聴取装置について説明するが、本発明の思想はこれらの実施例によりその実施可能形態が制限されるわけではなく、本発明の思想を理解する当業者であれば同じ思想の範囲に含まれる他の実施例を構成要素の付加、変更などにより容易に提案することができ、これらも本発明の思想に含まれるものである。
【００２７】
また、本明細書又は特許請求の範囲で使用される用語は、説明の便宜上選択した概念であり、本発明の技術的内容を把握する上で本発明の技術的思想に応じた意味で適切に解釈されるべきである。
【実施例１】
【００２８】
以下、図１〜図９を参照して、本発明の実施例１による個人用聴取装置について説明する。図１は本発明の実施例１による個人用聴取装置を示す斜視図であり、図２は本発明の実施例１による個人用聴取装置の他の形態を示す斜視図である。
【００２９】
また、図３は本発明の実施例１による個人用聴取装置のさらに他の形態を示す斜視図であり、図４は本発明の実施例１による個人用聴取装置の構成を示す分解斜視図である。
【００３０】
本発明による個人用聴取装置は、ユーザの頭部に位置する第１ユニットと、前記第１ユニットに支持され、スピーカをユーザの聴覚器官から離間するように配置する第２ユニットとから構成される。
【００３１】
まず、図１及び図２を参照して、第１ユニット１０と第２ユニット２０が一体に形成される場合について説明すると、第１ユニット１０は所定の内部空間を有し、全体的に図の横方向に長い直方体状に形成され、第１ユニット１０の両端部に第２ユニット２０が位置し、この第２ユニット２０は第１ユニット１０で所定の内部空間を有し、第１ユニット１０に対して位置可変に支持される。
【００３２】
詳しくは、第１ユニット１０の両端部から延びる第２ユニット２０は、第１ユニット１０に対して上下左右のどの方向にも位置を移動させられるように位置可変に形成される。
【００３３】
すなわち、図１において、第１ユニット１０は所定の自体弾性を有する材質で内部空間を形成し、この第１ユニット１０の両端部に第２ユニット２０が弾性により位置可変に形成され、第１ユニット１０に対して第２ユニット２０が延びる部分を中心に第２ユニット２０が同一方向に延びると、第１ユニット１０と第２ユニット２０は全体的に一字状になる。
【００３４】
また、図２において、第１ユニット１０の両端部が所定の曲率を有して後方に位置すると、第１ユニット１０は上から見て全体的に略Ｕ字状になる。
【００３５】
ここで、第２ユニット２０を第１ユニット１０に対して下方に位置を変更すると、第１ユニット１０と第２ユニット２０は右から見て全体的に略逆倒Ｌ字状になる。
【００３６】
第１ユニット１０と第２ユニット２０は、内部空間を開閉できるように形成してもよく、内部空間を開閉できないように形成してもよい。もちろん、内部空間を開閉できるように形成すると、内部空間に位置する複数の構成品の交換や修理が容易であるという利点を有する。
【００３７】
第１ユニット１０と第２ユニット２０の内部空間を開閉できないように形成する場合は、音源を提供する音響機器に接続される接続線を支持する溝を形成して接続線を支持するようにしてもよく、接続線を支持するための突起などを形成して接続線をはめ込んで支持するようにしてもよい。
【００３８】
一方、第２ユニット２０には、ユーザの聴覚器官に提供される音源を音声信号で伝えるスピーカ２１の少なくとも一部が支持されるように備えられる。スピーカ２１が第２ユニット２０の両端部に位置し、第２ユニット２０が第１ユニット１０に対して位置可変に支持されるように形成されることにより、第２ユニット２０の位置変更により第２ユニット２０に少なくとも一部が支持されるスピーカ２１の位置を変更することができる。
【００３９】
スピーカ２１の位置を変更できるように構成されることにより、スピーカ２１の位置をユーザが選択できるようになり、ユーザは本人の嗜好及び体格に応じた位置にスピーカ２１を配置して希望の音源を聴取できるようになるので、使用の利便性が向上するという利点を有する。
【００４０】
第１ユニット１０の一面には、ユーザの希望する音源を生成してスピーカ２１に提供する音響機器８０を支持するための音響機器支持部８１がさらに備えられてもよい。音響機器８０は、ユーザの希望する音源を生成してスピーカ２１に伝える機器であり、例えば、ＭＰ３、ＦＭ／ＡＭラジオ、ブルートゥースなどの音響機器である。
【００４１】
音響機器支持部８１は、第１ユニット１０の一面に一体に形成する構成でもよく、第１ユニット１０に着脱可能に備える構成でもよい。すなわち、音響機器８０が支持されるように第１ユニット１０から外部空間に突出して音響機器８０の少なくとも一部を収容して音響機器８０を支持する構成でもよく、音響機器８０の少なくとも一部を収容する部分を第１ユニット１０に着脱可能に備えて音響機器８０を支持する構成でもよい。
【００４２】
ここで、第１ユニット１０の一面でスピーカ２１に接続される接続線７０が外部空間に露出して音響機器８０に接続されたり、ジャックの形態で音響機器支持部８１に固定されるように備えられ、音響機器８０が音響機器支持部８１に固定されてジャックに接続されることにより、接続線７０と音響機器８０が接続される構成でもよい。
【００４３】
第１ユニット１０に対して第２ユニット２０が後方及び下方に位置を変更されると、第２ユニット２０に少なくとも一部が支持されるスピーカ２１の位置が変更される。このように、スピーカ２１の位置が変更されたとしても、スピーカ２１は音声信号が出力される面が対向するように位置し、希望の音源がユーザの聴覚器官に向かうように位置することが好ましい。
【００４４】
以下、図３及び図４を参照して、他の形態を有する本発明の実施例１による個人用聴取装置について説明する。
【００４５】
第１ユニット１０は、長手方向中央部が前方を向いて所定の曲率を有し、両端部が中央部より後方に位置する形態に形成されるので、第２ユニット２０は、スピーカ２１の位置する部分が第１ユニット１０からユーザの聴覚器官に向かって延びるように、第１ユニット１０より下方に位置する形態に形成される。
【００４６】
また、第１ユニット１０は、第２ユニット２０が下方を向くように折り曲げられる部分から第１ユニット１０の長手方向に延びる延長部１１がさらに備えられる。延長部１１は、第１ユニット１０と一体に形成され、第１ユニット１０の端部から第１ユニット１０の端部が向いている方向と同じ方向に延びる。
【００４７】
延長部１１は、第１ユニット１０がユーザの頭部に位置すると、第１ユニット１０がユーザの頭部から離脱しないように固定力を発生させる。
【００４８】
ここで、第１ユニット１０には、音響機器８０を支持するための音響機器支持部８１が着脱可能に備えられ、音響機器８０を支持して形成され、音響機器支持部８１の一側には、後述する接続線７０が音響機器８０との接続のために第１ユニット１０の外部空間に露出するようにするための接続線孔７１が形成される。
【００４９】
接続線孔７１から接続線７０が第１ユニット１０の外部空間に露出し、音響機器８０に接続されて音響機器８０で生成される音源をスピーカ２１に伝える。
【００５０】
もちろん、音響機器支持部８１が第１ユニット１０に固定されるように備えられて第１ユニット１０と一体に形成される場合は、接続線７０は音響機器支持部８１に固定され、音響機器８０が音響機器支持部８１に支持されて接続線７０に結合される構成でもよい。
【００５１】
以下、図４を参照して、図３の形態を有する本発明による個人用聴取装置の構成について説明する。図４は図３の形態を有する本発明による個人用聴取装置の構成を示す分解斜視図である。
【００５２】
まず、第１ユニット１０、第２ユニット２０及び延長部１１が一体に形成される形態について説明すると、第１ユニット１０、第２ユニット２０及び延長部１１は前半部と後半部に分けられ、その間に接続線とスピーカ２１の少なくとも一部が位置する。
【００５３】
接続線７０は、断面が所定の直径を有する円形に形成され、一端部は接続線孔７１を貫通して第１ユニット１０の外部空間に露出し、ジャック状に形成されて音響機器８０に接続され、他端部はスピーカ２１に接続されて音響機器８０から発生する音源をスピーカ２１に伝えるように構成される。
【００５４】
第１ユニット１０に支持される接続線７０は、第１ユニット１０の左側と右側に分かれ、第１ユニット１０に支持されて第２ユニット２０に向かい、第２ユニット２０に支持されて少なくとも一部が第２ユニット２０に支持されるスピーカ２１に接続される。
【００５５】
このように、接続線７０は、一端部は第１ユニット１０の外部空間に露出して音響機器８０に接続され、他端部は第１ユニット１０と第２ユニット２０に支持されてスピーカ２１に接続され、音響機器８０が提供される音源をスピーカ２１に伝える。
【００５６】
この場合も、第２ユニット２０は、第１ユニット１０に対して位置可変に支持されるので、位置を移動してスピーカ２１の位置を変更できる。
【００５７】
第１ユニット１０、第２ユニット２０及び延長部１１は、図４に示すように、内部空間を開閉できるように形成してもよく、内部空間を開閉できないように一体に形成してもよい。内部空間を開閉できるように形成されると、ユーザが内部空間を開閉して接続線７０やスピーカ２１を交換したり、修理、保守することができるという利点があり、内部空間を開閉できないように一体に形成されると、保管が容易で、故障の原因が減るという利点がある。
【００５８】
以下、図５を参照して、本発明の実施例１による個人用聴取装置のさらに他の形態について説明する。図５は本発明の実施例１による個人用聴取装置のさらに他の形態を示す斜視図である。
【００５９】
同図を参照すると、第１ユニット１０と第２ユニット２０が一体に形成されず、第１ユニット１０に第２ユニット２０がユーザの聴覚器官に向かって延びるように支持される形態に形成される。このように、第２ユニット２０が第１ユニット１０に連結される形態について説明すると、第２ユニット２０は、第１ユニット１０に連結される連結部２２と、連結部２２に位置可変に連結されてスピーカ２１の位置を調節できるように形成される結合部２３とから構成される。
【００６０】
連結部２２は、第１ユニット１０からユーザの聴覚器官に向かって一部が延長されるように備えられ、この連結部２２は、第１ユニット１０に固定されてユーザの聴覚器官に向かって延びるように備えられる形態に形成してもよく、連結部２２が第１ユニット１０に位置可変に連結されてユーザの聴覚器官に向かって延びるように備えられる形態に形成してもよい。
【００６１】
第１ユニット１０に連結される連結部２２に結合部２３が位置可変に連結され、結合部２３には音響機器８０から伝えられる音源を音声信号に変換して出力するスピーカ２１の少なくとも一部が支持されるように形成される。
【００６２】
スピーカ２１の少なくとも一部が結合部２３に支持されるように形成されるので、結合部２３の位置を調節することによりスピーカ２１の位置を調節できるように構成される。このように、スピーカ２１の位置を調節できるように構成されるので、ユーザの希望する位置にスピーカ２１を配置して希望の音源を聴取できるという利点を有する。
【００６３】
結合部２３が連結部２２に位置可変に連結される例を挙げると、結合部２３が連結部２２に回転可能にヒンジで連結されることにより、前記ヒンジを中心に連結部２２に対して結合部２３が回転運動することにより位置変更でき、結合部２３の位置変更により結合部２３に少なくとも一部が支持されるスピーカ２１の位置を調節することができる。
【００６４】
また、結合部２３は、図の上下方向に並進運動できるように形成されることにより、スピーカ２１の位置を調節することができる構成でもよい。すなわち、結合部２３が連結部２２に連結されるヒンジを回転中心とし、回転運動することにより結合部２３が第１ユニット１０及び連結部２２と所定の角度を有してユーザの聴覚器官に向かって延びるように形成される。
【００６５】
結合部２３がユーザの聴覚器官に向かうようにし、その後スピーカ２１の少なくとも一部が支持される結合部２３を並進運動させ、スピーカ２１をユーザの聴覚器官と最も近接する距離又はユーザの希望する位置に配置する。このように、結合部２３は、並進運動によりスピーカ２１が位置移動できるように、最も外側に位置する結合部２３の断面積よりその内部に位置する結合部２３の断面積が小さく形成され、最も外側に位置する結合部２２の内部空間に断面積が小さく形成される結合部２３が収容されるように形成される。
【００６６】
この結合部２３は、最も外側に位置する結合部２３の内部空間に複数の結合部２３が収容される構成でもよく、１つの結合部２３のみ収容される構成でもよい。もちろん、複数の結合部２３が収容されるほうが、より長い距離を並進運動する。
【００６７】
ここで、連結部２２が第１ユニット１０に対して位置可変に連結されてもよい。すなわち、連結部２２が第１ユニット１０により案内され、並進運動可能に第１ユニット１０に連結される構成でもよく、連結部２２が第１ユニット１０に回転運動可能に第１ユニット１０に連結される構成でもよい。
【００６８】
以下、図６を参照して、本発明の実施例１による個人用聴取装置のさらに他の形態について説明する。図６は本発明の実施例１による個人用聴取装置のさらに他の形態を示す斜視図である。
【００６９】
同図を参照すると、第１ユニット１０に第２ユニット２０が連結され、この第２ユニット２０が自体柔軟性を有するように形成され、第２ユニット２０に少なくとも一部が支持されるスピーカ２１の位置を調節できるように構成される。
【００７０】
第２ユニット２０が自体柔軟性を有する材質の素材で形成されて接続線７０が支持され、第１ユニット１０に連結される部分の反対側部分にスピーカ２１の少なくとも一部が支持されて備えられ、ユーザの希望する位置にスピーカ２１が位置するようにスピーカ２１の位置を調節することができる。
【００７１】
第２ユニット２０が一体に形成され、第１ユニット１０に支持されて連結される構成でもよく、第２ユニット２０が連結部２２と結合部２３で形成され、連結部２２が第１ユニット１０に連結され、結合部２３が連結部２２に支持される構成でもよい。
【００７２】
この場合も、第２ユニット２０は、第１ユニット１０に対して位置可変に連結される構成でもよい。すなわち、第２ユニット２０が一体に形成される場合は、第２ユニット２０が第１ユニット１０の長手方向に沿って並進運動可能に構成され、ユーザの聴覚器官付近に第２ユニット２０を移動させ、その後自体柔軟性を有する部分を調節してスピーカ２１を希望の位置に位置させると、ユーザは最も適した位置又は希望の位置で希望の音源を聴取することができる。
【００７３】
第２ユニット２０が自体柔軟性によりスピーカ２１の位置を調節できるように形成されるので、ユーザはスピーカ２１を希望の位置に調節でき、第２ユニット２０が第１ユニット１０に対して位置可変に連結されるので、ユーザはスピーカ２１を希望の位置にさらに調節でき、聴取装置使用の利便性が大きく向上するという利点がある。
【００７４】
また、連結部２２が第１ユニット１０に回転運動又は並進運動可能に連結され、この連結部２２に結合部２３が支持され、自体柔軟性によりスピーカ２１をユーザの希望する位置に移動できるように形成されてもよい。
【００７５】
以下、図７を参照して、本発明の実施例１によるさらに他の形態について説明する。図７は本発明の実施例１によるさらに他の形態を示す斜視図である。
【００７６】
第２ユニット２０は、第１ユニット１０に連結される連結部２２と、連結部２２により案内されてスピーカ２１の位置を調節できる結合部２３とから構成される。
【００７７】
連結部２２は、第１ユニット１０に固定されるように連結してもよく、第１ユニット１０に対して位置可変に連結してもよい。もちろん、どちらも結合部２３の位置を変更する際は結合部２３の移動を案内するように形成される。
【００７８】
まず、連結部２２が第１ユニット１０に固定されるように形成されると、連結部２２の一面には結合部２３の移動を案内するガイドが形成され、このガイドにより結合部２３の移動が案内される。例えば、前記ガイドが連結部２２の一面に溝状に形成され、溝に結合される結合部２３の結合部分が溝により案内され、結合部２３が上下方向に移動することによりスピーカ２１の位置を調節できるように構成される。
【００７９】
ここで、連結部２２に形成される前記溝には、結合部２３から連結部２２に向かって突出する複数の係止突起が支持され、結合部２３が連結部２２に連結される構成でもよく、連結部２２が所定の内部空間を形成してその内部空間に結合部２３が貫通し、連結部２２に形成される溝に結合部２３から溝に向かって突出する突起が溝により案内され、溝に沿って移動可能に連結される構成でもよい。
【００８０】
また、連結部２２が第１ユニット１０に対して位置可変に連結される構成でもよい。すなわち、連結部２２が第１ユニット１０の長手方向に第１ユニット１０に沿って案内されて並進運動可能に連結される構成でもよく、第１ユニット１０と回転運動可能にヒンジで連結され、第１ユニット１０に対してヒンジを回転中心として回転運動可能に連結される構成でもよい。
【００８１】
このように、連結部２２が第１ユニット１０に固定されるように連結されたり、位置可変に連結される構成は、どちらも結合部２３の移動を案内できるように結合部２３に連結される。
【００８２】
連結部２２が結合部２３の移動を案内するように結合部２３に連結されると、結合部２３は連結部２２により案内されて移動可能になり、この移動により少なくとも一部が結合部２３に支持されるスピーカ２１の位置を調節できるように構成される。
【００８３】
この場合、連結部２２又は結合部２３には、結合部２３の移動範囲を定義するストッパが備えられることが好ましい。前記ストッパは連結部２２に形成される構成でもよく、結合部２３に形成される構成でもよい。
【００８４】
このように、ストッパを備えて結合部２３の移動範囲を定義するのは、結合部２３の移動により結合部２３が連結部２２から離脱することを防止するためである。すなわち、ユーザが結合部２３を過度に移動させると、結合部２３が第１ユニット１０から離脱することがあるので、結合部２３の過度な移動を防止するために前記ストッパを備えて結合部２３の移動範囲を制限する。
【００８５】
また、連結部２２が第１ユニット１０の長手方向に沿って案内されて並進運動する場合は、結合部２３は連結部２２の移動方向と交差する方向に並進運動するように形成され、これらが異なる方向に移動してスピーカ２１をユーザの希望する位置に移動させることができるように形成される。
【００８６】
連結部２２が第１ユニット１０に回転運動するように備えられる場合も、結合部２３は上下方向に並進運動してスピーカ２１がユーザの希望する位置に移動するように調節することができる。
【００８７】
以下、図８を参照して、個人用聴取装置のさらに他の形態について説明する。図８は本発明の実施例１による個人用聴取装置のさらに他の形態を示す斜視図である。
【００８８】
同図を参照すると、第１ユニット１０に第２ユニット２０が選択的に着脱可能に連結される。ここで、第２ユニット２０は、第１ユニット１０に連結される連結部２２と、連結部２２に選択的に着脱可能に備えられ、自体柔軟性を有する素材で形成される結合部２３とから構成される。
【００８９】
連結部２２は、一部分は第１ユニット１０に連結され、他の一部分は結合部２３に連結されるように形成される。すなわち、連結部２２の一部分は第１ユニット１０に位置可変に連結され、他の一部分は結合部２３に連結され、結合部２３に連結される部分は内部空間が円柱状に形成される。その内部空間に結合部２３の一部分が挿入されるようにジャック状に形成されるので、結合部２３が連結部２２に連結されて結合部２３に支持されるスピーカ２１をユーザの希望する空間に配置することができる。
【００９０】
接続部２２に結合される結合部２３の部分は、ジャック状に形成されてもよく、電極と電極を接続するソケット状に形成されてもよい。すなわち、いかなる形態に形成されたとしても、第２ユニット２０は連結部２２と結合部２３が互いに連結される形態に構成される。
【００９１】
また、結合部２３は、自体柔軟性を有する材質で形成されるので、少なくとも一部が支持されるスピーカ２１をユーザの希望する位置に調節することができる。ここで、連結部２２が第１ユニット１０に対して位置可変に連結される場合は、ユーザは連結部２２を希望の位置に移動させ、その後結合部２３の自体柔軟性を利用してスピーカ２１を希望の位置に移動させることができる。
【００９２】
すなわち、連結部２２が第１ユニット１０に回転運動又は並進運動可能に連結され、この連結部２２に結合部２３が着脱可能に連結されるように形成されるので、スピーカ２１をユーザの希望する位置に配置できるように調節可能に構成される。
【００９３】
このように、連結部２２の運動と、連結部２２に選択的に連結されるように備えられる結合部２３により、ユーザは希望の位置にスピーカ２１を配置して希望の音源を聴取できるという利点を有する。
【００９４】
以下、図９を参照して、本発明の実施例１によるさらに他の形態について説明する。図９は本発明の実施例１によるさらに他の形態を示す斜視図である。
【００９５】
添付図面を参照して、第１ユニット１０と第２ユニット２０が一体に形成される場合について説明すると、第１ユニット１０は、所定の自体柔軟性を有し、かつ所定の内部空間を有するように形成され、その両端部に第２ユニット２０が延びるように備えられる。
【００９６】
ここで、第１ユニット１０と第２ユニット２０は、その断面が所定の直径を有する円形に形成され、この第２ユニット２０には前記スピーカが支持され、第１ユニット１０の一端部と第１ユニット２０の他端部間には所定の弾性を有するコネクト部２４が備えられる。
【００９７】
コネクト部２４は所定の弾性を有する材質で形成され、両端部が第２ユニット２０に固定されるように形成されるので、ユーザが第１ユニット１０をユーザの頭部に配置すると、第１ユニット１０がユーザの頭部から離脱しないように固定力を与える。
【００９８】
もちろん、第１ユニット１０の自体弾性により所定の固定力が提供されるが、コネクト部２４により固定力がさらに提供される。このコネクト部２４は、両端部がそれぞれの第１ユニット１０端部に結合されて自体弾性により固定力を与える形態でもよく、両端部が第１ユニット１０に固定されてコネクト部２４の中央部が互いに結合されて固定力を与える形態でもよく、一端部が第１ユニット１０に固定されて他端部が第１ユニット１０に備えられる連結部材に連結されて固定力を与える形態でもよい。
【００９９】
このように、コネクト部２４により固定力が提供されるので、ユーザが第１ユニット１０をユーザの頭部に配置すると、第１ユニット１０がユーザの頭部に固定する。
【０１００】
また、第１ユニット１０に延長部１１が備えられる場合、コネクト部２４は延長部１１と延長部１１間に備えられ、ユーザが第１ユニット１０をユーザの頭部に配置すると、コネクト部２４の自体弾性により第１ユニット１０と第２ユニット２０がユーザの頭部から容易に離脱しないように固定力を与える。
【０１０１】
一方、図４を参照すると、第１ユニット１０と前記第２ユニットの内部空間には、聴取装置の付加機能のための応用機器９０が支持される応用機器支持部９１が形成される。応用機器９０は、聴取装置に便利な機能を付加するために備えられる機器である。
【０１０２】
応用機器９０には、例えばブルートゥース、通信機器、増幅器、送受信機、照明機器（ＬＥＤランプ）、ラジオアンテナ線などを活用することができ、この応用機器９０を応用機器支持部９１に支持されるように備えると、希望の音源を聴取することもでき、他人と通信することもでき、別途の周波数又は信号を受信して受信した信号を音声信号に変換してユーザが聴取できるように活用することもできる。
【０１０３】
このように、応用機器９０を活用して個人用聴取装置を用いるために、第１ユニット１０と第２ユニット２０に応用機器接続線がさらに備えられてもよい。応用機器接続線９２は、応用機器９０とスピーカ２１を接続したり、応用機器９０と電源を接続することにより、応用機器９０を活用して音声信号を聴取したり、他の機能を果たすことができるようにする。
【実施例２】
【０１０４】
以下、図１０〜図２１を参照して、本発明の実施例２による個人用聴取装置について説明する。ここで、前述した構成のうち、第１ユニット１０を第１部分、第２ユニット２０を第２部分と記載し、同じ図中符号を用いる。
【０１０５】
図１０は本発明の実施例２による個人用聴取装置の外形を示す斜視図であり、図１１は本発明の実施例２による個人用聴取装置を示す底面図である。
【０１０６】
また、図１２は本発明の実施例２による個人用聴取装置の音響機器を除去した形態を示す斜視図であり、図１３は本発明の実施例２による内部構成を示す部分側断面図である。
【０１０７】
図１４は本発明の実施例２による他の形態を示す斜視図であり、図１５は本発明の実施例２によるさらに他の形態を示す斜視図であり、図１６は本発明の実施例２によるさらに他の形態を示す斜視図である。
【０１０８】
添付図面を参照すると、本発明の実施例２による個人用聴取装置は、ユーザの頭部に位置する第１部分１０と、第１部分１０からユーザの聴覚器官に向かって延びて支持され、ユーザの聴覚器官が外部音に対して開放される形態でスピーカが提供される第２部分２０と、少なくとも第１部分１０が支持されてユーザの頭部に位置する第３部分３０とを含む。
【０１０９】
第３部分３０は、着用部３１で形成される。着用部３１は、ユーザの頭部に覆い被せてユーザの頭部に位置する形態に備えられてもよく、ユーザの頭部を覆わずに挟んでユーザの頭部に位置する形態に備えられてもよい。
【０１１０】
すなわち、着用部３１は、ユーザの頭部に覆い被せ、ユーザの頭部に支持されて着用する形態に備えられてもよく、所定の強度を有し、所定の自体弾性により、ユーザの頭部に挟む形態で支持されてユーザの頭部に着用する形態に備えられてもよい。
【０１１１】
着用部３１がユーザの頭部に覆い被せる形態の場合は、全体的に所定の厚さを有して内部空間を形成する半球状に形成され、その内部空間にユーザの頭部が収容されることにより、着用部３１が着用される。
【０１１２】
着用部３１がユーザの頭部に挟む形態の場合は、全体的に所定の自体弾性を有し、自体弾性によってユーザの頭部外面の一部に沿って圧着されることにより、着用部３１が着用される。
【０１１３】
また、第３部分３０には、着用部３１に連結されてユーザの顔などの肌に直射する太陽光線を遮断する遮断部３２がさらに備えられてもよい。遮断部３２は、着用部３１の枠部分に連結され、所定の厚さを有し、かつ所定の面積を有するように形成される。
【０１１４】
遮断部３２が備えられる場合、ユーザが着用部３１をユーザの頭部に着用すると、遮断部３２によりユーザの顔などの肌に直射する太陽光線が遮断される。
【０１１５】
遮断部３２は、所定の厚さと面積を有するように形成され、ユーザの顔などの肌に直射する太陽光線を遮断することにより、ユーザの顔などの肌に当たる有害な光線を遮断し、ユーザの希望する音源を聴取しながらも健康上の負担を軽減できるという利点を有する。
【０１１６】
同図を参照すると、遮断部３２は着用部３１の前面下端部の枠に沿って延び、遮断部３２によりユーザの顔などの肌に直射する太陽光線を遮断する。
【０１１７】
遮断部３２は、ユーザの顔などの肌に直射する太陽光線を遮断する機能を果たすので、太陽光線を遮断する機能を果たすことのできるいかなる素材で構成されてもよい。すなわち、遮断部３２が所定の厚さと面積を有するように形成され、太陽光線を遮断できる構成でもよく、外面に太陽光線を遮断又は反射できるフィルム又は塗料が塗布され、ユーザの顔などの肌に直射する太陽光線を遮断する構成でもよい。
【０１１８】
また、可視光線は透過して直射する太陽光線のうち有害光線のみ遮断するように構成され、ユーザの視野は確保しながらも有害光線を遮断する構成でもよい。
【０１１９】
また、遮断部３２が着用部３１に固定されて延びるように形成される構成でもよく、着用部３１に連結される部分を中心に回転運動できるように備えられ、ユーザが遮断部３２を回転させてユーザの顔部分を全体的に有害光線から遮断できる構成でもよい。
【０１２０】
第３部分３０は、着用部３１にのみ形成される構成でもよく、着用部３１に遮断部３２が連結されて延びるように形成される構成でもよい。第３部分３０が着用部３１のみで形成される構成には、つばなし帽、ビーニー、菅笠などのように形成される第３部分３０があり、着用部３１の枠部分に沿って遮断部３２が延びる一般の形態の帽子、サンキャップ、中折帽などのように形成される第３部分３０があり、着用部３１をユーザの頭部外面に沿って挟んでユーザの頭部に着用する形態のヘアーバンド、リブ（rib）、クラウン、ヘッドバンドなどもある。
【０１２１】
第３部分３０には、少なくとも第１部分１０が支持される支持部３３が提供される。支持部３３は、所定の内部空間を形成し、少なくとも第１部分１０をその内部空間に収容して支持する構成でもよく、第１部分１０が支持部３３に接して支持される構成でもよい。この支持部３３は、第１部分１０を支持する機能を果たすので、第１部分１０を支持できる構成であれば、第３部分３０の外面や内面のどこに位置してもよい。
【０１２２】
また、支持部３３は、第３部分３０に固定されて提供される構成でもよく、第３部分３０に選択的に着脱可能な構成でもよい。
【０１２３】
まず、支持部３３が第３部分３０の内面に位置し、第１部分１０が内部空間に収容されて支持される構成を例に説明する。
【０１２４】
第３部分３０には、少なくとも第１部分１０を支持する支持部３３が備えられる。支持部３３は所定の内部空間を有し、着用部３１の内面下端の枠部分に固定されるように備えられ、この支持部３３の内部空間に少なくとも第１部分１０が収容されることにより、第３部分３０に第１部分１０が支持される。
【０１２５】
詳しくは、支持部３３の内部空間に第１部分１０と延長部１１が収容され、第１部分１０と延長部１１が第３部分３０により支持されるが、この支持部３３はその内部空間を開閉できるように形成されてもよく、開閉できないように形成されてもよい。内部空間を開閉できるように形成されると、第１部分１０又は第１部分１０に支持される他の部品の交換、修理、保守などが容易であるという利点がある。
【０１２６】
ここで、第３部分３０の外部空間には、ユーザの希望する音源を発生させる音響機器８０が位置する。音響機器８０は、ユーザの希望する音源を提供することができればいかなる機器でもよく、その重量やサイズなどを考慮すると、小型ＭＰ３、小型ラジオ、ブルートゥース機器などが好ましい。
【０１２７】
支持部３３は、第１部分１０を固定又は分離可能に支持するために、内部空間が開閉可能に備えられ、この支持部３３が第１部分１０を固定又は分離するために、面ファスナー部材、ボタン部材、ジッパー部材などで形成されるが、第１部分１０を固定又は分離可能に支持できる部材であればいかなる部材で備えられてもよい。
【０１２８】
また、支持部３３が第１部分１０の少なくとも一部を収容する収容空間として形成されると、この収容空間はユーザにより開閉可能に形成され、第１部分１０を第３部分３０の外部空間に分離させることができる。
【０１２９】
第３部分３０の外面には、音響機器８０を固定するための音響機器支持部８１がさらに備えられてもよく、音響機器支持部８１は音響機器８０の少なくとも一部を支持し、音響機器８０の移動を制限して音響機器８０が第３部分３０から離脱しないように支持する。
【０１３０】
音響機器支持部８１は、所定の内部空間を有するポケット状に形成され、音響機器８０の少なくとも一部がその内部空間に支持され、ユーザの希望する音源を提供する構成でもよい。この場合は、音響機器８０の少なくとも一部が音響機器支持部８１の内部空間に支持され、第３部分３０に固定されるので、音響機器８０の遥動を防止し、第３部分３０からの離脱を防止する機能を果たす。
【０１３１】
このように、音響機器支持部８１は、第１部分１０に形成してもよく、第３部分３０に形成してもよい。また、第３部分３０にはめ込まれて固定力を有するクリップ又は安全ピン状に形成してもよい。
【０１３２】
以下、図１２を参照して、音響機器８０が第１部分１０に支持される場合を例に説明すると、第３部分３０の外面一部が切開され、支持部３３に支持される第１部分１０の一部が第３部分３０の外部空間に露出するように形成され、第３部分３０の外部空間に露出する部分に音響機器８０が支持されるように形成される。
【０１３３】
すなわち、第３部分３０には所定の間隔をおいて２つのスリット（slit）状の露出孔３４が形成され、露出孔３４を第１部分１０が貫通して露出孔３４間の間隔だけ第３部分３０の外部空間に露出する。このように、第３部分３０の外部空間に露出する第１部分１０に音響機器８０が着脱可能に支持される。
【０１３４】
このように、第３部分３０には、第１部分１０の所定部分を第３部分３０の外部空間に露出させるための露出孔３４が少なくとも２つ形成される。少なくとも２つ形成される露出孔３４は、第１部分１０が一方を貫通して第３部分３０の外部空間に露出し、他方を貫通して内部空間に入って第３部分３０の支持部３３に支持される。
【０１３５】
露出孔３４を貫通して第１部分１０の少なくとも一部が第３部分３０から外部空間に所定の程度露出する構成により、第１部分１０は第３部分３０に強固に支持されるように形成される。
【０１３６】
また、露出孔３４から接続線７０が第３部分３０の外部空間に第１部分１０の露出と同時に出る構成でもよい。露出孔３４から第３部分３０の外部空間に出る接続線７０は、音響機器８０に選択的に接続されて音響機器８０が提供する音源をスピーカ２１に伝える。
【０１３７】
一方、図１１に示すように、第３部分３０には第２部分２０の少なくとも一部が第３部分３０の外部空間に露出するように、第２部分２０が貫通する空間を提供する貫通孔３５が形成される。貫通孔３５は支持部３３から第２部分２０の少なくとも一部が貫通する通路を提供し、この貫通孔３５を貫通する第２部分２０が第３部分３０の外部空間に位置し、ユーザの聴覚器官に向かって延びる。
【０１３８】
図１４を参照すると、第１部分１０を遮断部３２に固定結合するために、第１部分１０に固定手段１２がさらに備えられてもよい。固定手段１２は、第３部分３０に提供される支持部３３に選択的に連結されることにより、第１部分１０が第３部分３０から固定又は分離可能に結合される。
【０１３９】
ここで、固定手段１２と支持部３３は面ファスナー部材で形成され、互いが接することにより第１部分１０が第３部分３０と分離又は固定されるように形成されるが、固定手段１２と支持部３３が面ファスナー部材ではなく、ボタン部材、ジッパー部材、締結部材などの他の部材で形成されてもよい。
【０１４０】
ただし、いかなる部材で形成されるにしても、第１部分１０が第３部分３０から選択的に分離又は固定可能に結合する構成は同じである。
【０１４１】
また、図１５を参照すると、第３部分３０に少なくとも第２部分２０が貫通する空間を提供するように所定部分が切開され、切開された部分から第２部分２０が貫通して第３部分３０の外部空間に露出し、ユーザの聴覚器官に向かって延びるように形成されてもよい。
【０１４２】
第３部分３０の切開される部分は貫通孔３５の機能を果たし、第２部分２０が貫通する通路を提供し、第２部分２０が第３部分３０に形成される貫通孔３５を貫通してスピーカ２１がユーザの聴覚器官に向かって延びる。
【０１４３】
このように、第３部分３０に形成される貫通孔３５を第２部分２０が貫通すると、第１部分１０は第３部分３０の外面に配置され、第２部分２０がユーザの聴覚器官に向かって延び、スピーカ２１がユーザの聴覚器官に近接する状態に配置される。
【０１４４】
第１部分１０が第３部分３０の外面に配置され、スピーカ２１がユーザの聴覚器官に近接する状態に配置されると、第１部分１０、第２部分２０と第３部分３０が着脱可能に支持されるので、ユーザの使用の利便性が向上するという利点を有する。
【０１４５】
また、図１４及び図１５を参照すると、第３部分３０の外面又は外部空間に、音響機器８０に接続される接続線７０の端部を固定するための接続線固定部７２がさらに備えられる。接続線固定部７２は、音響機器８０に接続される接続線７０の端部を固定する機能を果たす。
【０１４６】
これは、音響機器８０を充電又は他の音響機器８０に交換する場合のように、音響機器８０を使用しないで第３部分３０のみ使用する場合に、音響機器８０に接続される接続線７０のジャックを接続線固定部７２に固定することにより、接続線７０の遥動を防止するためである。
【０１４７】
接続線７０の遥動が防止されることにより、第３部分３０に音響機器８０が支持されない場合もユーザの使用上の不満を解消できるという利点を有する。
【０１４８】
以下、図１６〜図２１を参照して、本発明の実施例２による他の形態について説明する。図１６には本発明の実施例２による他の形態を示し、図１７〜図２１には本発明の実施例２によるさらに他の形態を示す。
【０１４９】
図１６には第３部分３０が着用部３１のみで形成される形態を例に示し、この形態について説明すると、着用部３１はユーザの頭部に位置してユーザの頭を覆い、その下端部が外面の上方に折り曲げられる形態に形成される。
【０１５０】
ここで、着用部３１には所定の空間を形成するように切除される貫通孔３５が形成され、その貫通孔３５を第２部分２０の少なくとも一部が貫通し、第２部分２０の少なくとも一部が第３部分３０の外部空間に位置し、ユーザの聴覚器官に向かって延びるように構成される。
【０１５１】
また、音響機器支持部８１が別途に備えられず、第３部分３０の下端部が第３部分３０の外面に沿って上方に折り曲げられて形成される空間に音響機器８０が位置する。このように、着用部３１が形成する空間により音響機器８０が支持されると、第１部分１０の外部空間に露出する接続線７０に接続されて接続線７０と音響機器８０が接続される。
【０１５２】
音響機器支持部８１が別途に備えられる場合は、第３部分３０に所定の空間を形成するように構成され、この空間に音響機器８０が支持されるように形成される構成でもよい。
【０１５３】
また、第１部分１０の両端部に形成される延長部１１と延長部１１間にはコネクト部２４が位置し、コネクト部２４により第３部分３０から第１部分１０が離脱しないようにする固定力が向上し、着用部３１の下端の枠部分に形成される切除部分、すなわち貫通孔３５を貫通する第２部分２０により第１部分１０の固定力がさらに向上する。
【０１５４】
もちろん、着用部３１の内面に第１部分１０を支持する支持部３３が備えられ、第１部分１０が第３部分３０に支持されるように形成されてもよい。
【０１５５】
一方、コネクト部２４は、一端部が第１部分１０の長手方向一端部に連結され、他端部が第１部分１０の長手方向他端部に選択的に連結されるように形成される構成でもよく、第１部分１０の長手方向両端部にそれぞれ備えられてコネクト部２４が互いに連結される構成でもよい。
【０１５６】
すなわち、コネクト部２４は、第１部分１０の長手方向両端部間に位置して第１部分１０とそれぞれ連結されたり、一体に形成され、ユーザが第３部分３０を頭部に配置すると、ユーザの頭部で固定力を発生させる構成であれば、いかなる構成でもよい。
【０１５７】
コネクト部２４は、自体弾性を有する部材で備えられてもよい。コネクト部２４が自体弾性を有する部材で備えられると、コネクト部２４の両端部が第１部分１０の両端部と一体に形成されるか又は連結されるように形成され、コネクト部２４の自体弾性により第３部分３０に対する第１部分１０の連結力を向上させ、第１部分１０が第３部分３０に容易に支持される。
【０１５８】
コネクト部２４は、ボタン部材、面ファスナー部材、クリップ部材、ベルト部材など、互いに連結されて固定力を発生させるいかなる部材が使用されてもよく、このように様々な部材で形成することができる。
【０１５９】
図１７〜図２１を参照すると、第３部分３０がヘアーバンド状又はヘッドバンド状に備えられる状態を示しており、これを参照すると、第３部分３０は着用部３１のみで形成され、この第３部分３０に第１部分１０が支持され、第２部分２０がユーザの聴覚器官に向かって延びるように形成される。
【０１６０】
ここで、第１部分１０には、第３部分３０に選択的に分離又は固定可能に支持するための固定手段１２がさらに提供される。固定手段１２は、第１部分１０が第３部分３０に支持されるように、リングバンド状、係止突起状、ピン状などに形成されてもよく、第１部分１０と第３部分３０が互いに接して第１部分１０が第３部分３０に支持されるように形成されてもよい。
【０１６１】
また、第１部分１０が第３部分３０に支持され、第２部分２０に少なくとも一部が支持されるスピーカ２１の位置を調節できるように形成されてもよい。
【０１６２】
また、第２部分２０は、音声信号が出力されるスピーカ２１の一部分がユーザの聴覚器官に向かい、出力部分とユーザの聴覚器官間に空間が形成されるように支持する。すなわち、第２部分２０によりスピーカ２１の少なくとも一部が支持され、スピーカ２１の音声信号出力部分とユーザの聴覚器官間に所定の空間が形成されるようにスピーカ２１が位置する。
【０１６３】
一方、第２部分２０にはスピーカ２１の少なくとも一部が支持されるスピーカ溝がさらに形成されてもよく、この溝は第２部分２０の長手方向に多数備えられ、スピーカ２１の位置を調節できるように形成される。
【０１６４】
このように、スピーカ２１の位置を調節できるように形成されることにより、ユーザは希望の位置にスピーカ２１を配置した状態で希望の音源の聴取ができるという利点を有し、ユーザの利便性が大きく向上するという利点を有し、ユーザの感覚的な不満を解消できるという利点を有する。
【０１６５】
また、第１部分１０にユーザの希望する音源を提供する音響機器８０が位置するが、この音響機器８０は音響機器支持部８１に支持される。
【０１６６】
音響機器支持部８１が所定の内部空間を有し、音響機器８０が音響機器支持部８１の内部空間に位置して支持されるように形成されてもよく、音響機器８０がクリップなどの形態で提供され、音響機器支持部８１に支持されるように形成されてもよい。
【０１６７】
すなわち、音響機器支持部８１が第１部分１０に固定的に形成され、音響機器８０を支持するように形成されてもよく、第１部分１０に着脱可能に形成され、音響機器８０を支持するように形成されてもよい。
【０１６８】
また、第１部分１０には接続線孔７１が形成され、音響機器８０に選択的に結合する接続線７０が第１部分１０の外部空間に突出し、接続線孔７１に近接して音響機器支持部８１が位置することにより、第１部分１０の外部空間に露出する接続線７０が最小限に抑えられる。
【０１６９】
すなわち、接続線７０が第１部分１０の外部空間に出る通路である接続線孔７１と音響機器支持部８１が近接するほど、第１部分１０の外部空間に露出する接続線７０の長さは短くなり、音響機器８０に接続される接続線７０がユーザの顔や腕などにまとわりつかなくなり、ユーザの動きや活動の不自由さが解消され、ユーザの活動性や自由な動きを保証することができる。
【０１７０】
これは、第１部分１０の外部空間に露出する接続線７０がスピーカ２１より上側に露出するように形成され、接続線孔７１と音響機器支持部８１が近接するように形成されることにより、音響機器８０に接続される接続線７０の長さが短くなり、外部空間に露出する接続線７０が最小限に抑えられ、有線でありながらも無線のような効果が得られるので、ユーザの活動性や自由な動きを保証することができる。
【０１７１】
また、第１部分１０には第１部分１０の外部空間に露出する接続線を固定するための接続線固定部７２がさらに提供され、音響機器８０に接続されない場合も接続線７０を固定できるようにすることにより、第１部分１０の外部空間に露出する接続線７０の遥動を防止し、ユーザの不自由さを解消することができる。
【０１７２】
一方、図２１を参照すると、第１部分１０がヘッドバンド状に提供される第３部分３０の内部空間に位置するように形成されてもよい。この場合も、第３部分３０には所定の空間を有する貫通孔３５が形成されることにより、第２部分２０が第３部分３０の外部空間に露出するように形成され、音響機器８０を支持する音響機器支持部８１が第３部分３０に提供される。
【０１７３】
音響機器支持部８１は、所定の弾性を有するバンド状又はポケット状で提供され、音響機器８０が音響機器支持部８１の弾性又は内部空間により第３部分３０に支持されるように形成される。
【０１７４】
また、第３部分３０には第１部分１０の外部空間に突出する接続線７０を第３部分３０の外部空間に露出させる孔が形成され、接続線７０が第３部分３０の外部空間に露出し、音響機器支持部８１の弾性により支持される音響機器８０に選択的に接続される。
【０１７５】
もちろん、この場合も、第３部分３０又は音響機器支持部８１により、第３部分３０の外部空間に露出する接続線７０を固定する接続線固定部７２が提供される。
【０１７６】
ただし、音響機器支持部８１の弾性により接続線７０が固定されるように形成される場合は、接続線固定部７２の機能を音響機器支持部８１が果たすように形成されてもよい。
【産業上の利用可能性】
【０１７７】
上記のように構成される本発明の実施例による個人用聴取装置は、ユーザの聴覚器官が開放された状態で、外部音と前記音響機器から伝えられる音源を同時にユーザが聴取できるように構成されることにより、外部空間から発生する危険に迅速に対処することができ、ユーザの安全性が大きく向上する効果を期待することができる。
【０１７８】
また、音響機器がユーザの頭部に位置する第３部分に支持されることにより、音響機器に接続される接続線が最小限に抑えられ、外部空間に露出する接続線が短くなり、ユーザの顔や腕にまとわりつく接続線がなくなるので、有線でありながらも無線のような効果が得られる。よって、ユーザの行動性や活動性を保証できる効果を期待することができる。
【０１７９】
音声信号を出力する前記スピーカの位置調節が容易に構成されることにより、スピーカをユーザの聴覚器官に挿入しなくても、ユーザの希望する位置にスピーカを配置し、ユーザの聴覚器官が開放された状態で音源を聴取できるので、使用の利便性、ユーザの活動性、安全性が大きく向上する効果を期待することができる。
【０１８０】
ユーザの聴覚器官と所定の距離を有して離間された位置に前記スピーカが位置することにより、ユーザの聴覚器官に損傷を与えることなく希望の音源を聴取できるので、聴取装置の使用に伴う健康上の負担を解消する効果を期待することができる。
【０１８１】
よって、本発明の実施例による個人用聴取装置は、聴取を目的とする音響産業及び野外活動のための産業にその利用可能性が大きい。
【図１】
2012508500.tif 000003
【図２】
2012508500.tif 000004
【図３】
2012508500.tif 000005
【図４】
2012508500.tif 000006
【図５】
2012508500.tif 000007
【図６】
2012508500.tif 000008
【図７】
2012508500.tif 000009
【図８】
2012508500.tif 000010
【図９】
2012508500.tif 000011
【図１０】
2012508500.tif 000012
【図１１】
2012508500.tif 000013
【図１２】
2012508500.tif 000014
【図１３】
2012508500.tif 000015
【図１４】
2012508500.tif 000016
【図１５】
2012508500.tif 000017
【図１６】
2012508500.tif 000018
【図１７】
2012508500.tif 000019
【図１８】
2012508500.tif 000020
【図１９】
2012508500.tif 000021
【図２０】
2012508500.tif 000022
【図２１】
2012508500.tif 000023
【国際調査報告】
2012508500.tif 000024
2012508500.tif 000025
2012508500.tif 000026
2012508500.tif 000027
2012508500.tif 000028
2012508500.tif 000029